(57)【要約】【課題】  本発明は、天板及び底板とフィルター部材とを接着している接着剤層の亀裂を防止し、汚濁液を確実に濾過することができるフィルターエレメントを提供する。【解決手段】  本発明のフィルターエレメントは、天板と底板との間にフィルター部材を介装してなると共に、内部に汚濁液を圧入して該汚濁液をフィルター部材によって濾過した上で外部に排出させるように構成してなるフィルターエレメントにおいて、上記天板及び上記底板と上記フィルター部材とを軟質接着剤層を介して一体化していることを特徴とする。【選択図】    図１
2006263576.tif 000002
【特許請求の範囲】
【請求項１】
天板と底板との間にフィルター部材を介装してなると共に、内部に汚濁液を圧入して該汚濁液をフィルター部材によって濾過した上で外部に排出させるように構成してなるフィルターエレメントにおいて、上記天板及び上記底板と上記フィルター部材とを軟質接着剤層を介して一体化していることを特徴とするフィルターエレメント。
【請求項２】
天板及び底板の内面全面に軟質接着剤層が積層一体化されていることを特徴とする請求項１に記載のフィルターエレメント。
【請求項３】
天板及び底板の一面に軟質接着剤を全面的に塗布した後、筒状に形成されたフィルター部材の上下端面に上記天板及び上記底板を上記接着剤を介して密着することによって、上下端面に開口しているフィルター部材の隙間を密閉し、上記天板及び上記底板の一面に塗布した上記接着剤により、上記天板及び上記底板と上記フィルター部材とを接着一体化させることを特徴とするフィルターエレメントの製造方法。
【請求項４】
天板及び底板が保形性を有する不織布から形成されていることを特徴とする請求項３に記載のフィルターエレメントの製造方法。
【発明の詳細な説明】
【技術分野】
【０００１】
本発明は、種々の汚濁液を浄化するためのフィルターエレメントに関する。
【背景技術】
【０００２】
例えば、金属材料を放電加工する際には、加工液が循環濾過して供給され、加工チップを含んだ汚濁液はドレーン口より汚濁液タンクに導入され、この汚濁液をポンプでもって吸い上げてフィルターエレメント内に圧送、濾過し、濾過された清水を清浄液槽に貯留しながら絶えず清水を加工液として循環供給している。
【０００３】
上記フィルターエレメントとしては、例えば、特許文献１に示したように、プリーツ状に折曲形成された筒状のフィルター部材の上下端面に綿布からなる天板及び底板を密着させて、上下端面に開口しているフィルター部材の隙間を密閉することによって形成され、天板及び底板とフィルター部材の上下端面とは、天板及び底板の一面に塗布された硬質接着剤層によって一体化されている。
【０００４】
しかしながら、上記接着剤は硬質なものが用いられていることから、上記フィルターエレメントを用いて汚濁液の濾過を行っている場合において、フィルターエレメント内部の液圧が急激に高くなったり、或いは、上記フィルターエレメントの輸送中に該フィルターエレメントに衝撃が加わって、上記天板及び底板に変形応力が加わった場合に、天板及び底板に塗布した硬質接着剤層が変形に順応することができずに硬質接着剤層に亀裂が生じ、その結果、フィルターエレメント内に圧入した汚濁液がフィルター部材によって濾過されずに上記硬質接着剤層に生じた亀裂を通じてフィルターエレメント外に流出してしまうといった問題点があった。
【０００５】
【特許文献１】特許第２８４５９２４号公報
【発明の開示】
【発明が解決しようとする課題】
【０００６】
本発明は、天板及び底板とフィルター部材とを接着している接着剤層の亀裂を防止し、汚濁液を確実に濾過することができるフィルターエレメントを提供する。
【課題を解決するための手段】
【０００７】
本発明のフィルターエレメントは、天板と底板との間にフィルター部材を介装してなると共に、内部に汚濁液を圧入して該汚濁液をフィルター部材によって濾過した上で外部に排出させるように構成してなるフィルターエレメントにおいて、上記天板及び上記底板と上記フィルター部材とを軟質接着剤層を介して一体化していることを特徴とする。
【０００８】
又、上記フィルターエレメントにおいて、天板及び底板の内面全面に軟質接着剤層が積層一体化されていることを特徴とする。
【０００９】
更に、本発明のフィルターエレメントの製造方法は、天板及び底板の一面に軟質接着剤を全面的に塗布した後、筒状に形成されたフィルター部材の上下端面に上記天板及び上記底板を上記接着剤を介して密着することによって、上下端面に開口しているフィルター部材の隙間を密閉し、上記天板及び上記底板の一面に塗布した上記接着剤により、上記天板及び上記底板と上記フィルター部材とを接着一体化させることを特徴とする。
【００１０】
最後に、上記フィルターエレメントの製造方法において、天板及び底板が保形性を有する不織布から形成されていることを特徴とする。
【発明の効果】
【００１１】
本発明のフィルターエレメントは、天板と底板との間にフィルター部材を介装してなると共に、内部に汚濁液を圧入して該汚濁液をフィルター部材によって濾過した上で外部に排出させるように構成してなるフィルターエレメントにおいて、上記天板及び上記底板と上記フィルター部材とを軟質接着剤層を介して一体化していることを特徴とするので、フィルターエレメントの輸送中に加わる衝撃や、使用中におけるフィルターエレメント内部の圧力の増加によって、天板及び底板が変形し或いは天板及び底板とフィルター部材との接続部分における天板及び底板とフィルター部材との相対位置が変化しても、これら天板及び底板とフィルター部材とを一体化させている軟質接着剤層は、上記変形或いは相対位置の変化に追従して円滑に変形し、よって、天板及び底板とフィルター部材との接合部分の一部又は全部が分離したりするといったことはなく、天板及び底板とフィルター部材とは一体化された状態を確実に維持すると共に、上記軟質接着剤層に亀裂が生じたりすることはなく、フィルターエレメント内部に圧入した汚濁液を確実に濾過して外部に排出することができる。
【００１２】
又、上記フィルターエレメントにおいて、天板及び底板の内面全面に軟質接着剤層が積層一体化されている場合には、輸送中や使用中における天板及び底板の変形や、天板及び底板とフィルター部材との接合部分における天板及び底板とフィルター部材の相対位置の変化を軟質接着剤層が確実に吸収することができ、よって、上記軟質接着剤層に亀裂が生じたり或いは天板及び底板とフィルター部材との接合部分の一部若しくは全部が分離したりするといったことをより確実に防止することができる。
【００１３】
更に、本発明のフィルターエレメントの製造方法は、天板及び底板の一面に軟質接着剤を全面的に塗布した後、筒状に形成されたフィルター部材の上下端面に上記天板及び上記底板を上記接着剤を介して密着することによって、上下端面に開口しているフィルター部材の隙間を密閉し、上記天板及び上記底板の一面に塗布した上記接着剤により、上記天板及び上記底板と上記フィルター部材とを接着一体化させることを特徴とするので、軟質接着剤によって上記天板及び上記底板と上記フィルター部材とを確実に接着一体化することができ、しかも、軟質接着層は、輸送中や使用中における天板及び底板の変形や、天板及び底板とフィルター部材との接続部分における天板及び底板とフィルター部材の相対位置の変化を確実に吸収して、上記軟質接着剤層に亀裂が生じたり或いは天板及び底板とフィルター部材との接合部分の一部又は全部が分離したりするといった不測の事態を防止し、フィルター部材によって汚濁液を確実に濾過することができる。
【００１４】
最後に、上記フィルターエレメントの製造方法において、天板及び底板が保形性を有する不織布から形成されている場合には、天板及び底板の一面に軟質接着剤を塗布する際に天板及び底板が一定の形状を保持し、よって、天板及び底板の一面に軟質接着剤を均一に且つ容易に塗布することができる。
【発明を実施するための最良の形態】
【００１５】
本発明のフィルターエレメントの一例を図面を参照しつつ説明する。フィルターエレメントＡは、図１及び図２に示したように、上下方向に一定間隔を存して配設された、平面円形状の天板１と、該天板１と同一大きさで且つ同一形状の平面円形状の底板２との対向面間にフィルター部材３が介装されてなる。
【００１６】
詳細には、上記フィルター部材３は、図１及び図２に示したように、２枚の長尺帯状の濾材の夫々をプリーツ状に折曲形成した上で平面半円形状に彎曲させ、この平面半円形状に彎曲させた濾材の両端部同士を接合或いは近接させて円筒状に形成されている。
【００１７】
なお、上記濾材としては、例えば、スパンボンド不織布、メルトブロー不織布、湿式不織布、ニードルパンチング不織布等の不織布製濾過布や織物製濾過布等が用いられる。
【００１８】
そして、上記円筒状フィルター部材３の上下端面には、該円筒状フィルター部材３の平面外形形状と同一形状、同一大きさの平面円形状の保形性を有する一定厚みの不織布からなる天板１及び底板２が、上記フィルター部材３の上下端面に露呈した濾材間の隙間31を全面的に閉止した状態に密着一体化され、天板１及び底板２と、フィルター部材３とは、天板１及び底板２と、フィルター部材３との間に介在させた軟質接着剤層41、42によって一体化されている。
【００１９】
即ち、上記天板１及び底板２の内面の夫々には軟質接着剤層41、42が全面的に積層一体化されており、この軟質接着剤層41、42内に上記フィルター部材３の上下端部を全面的に没入させた状態に固定させることによって、天板１及び底板２と、フィルター部材３とを上記軟質接着剤層41、42によって一体化している。
【００２０】
又、上記軟質接着剤層41、42は、上記天板１及び底板２を構成している濾過布の連通孔を内面側から全面的に目止めしており、液体が天板１及び底板２内を通過できないようにしている。
【００２１】
更に、上記軟質接着剤層41、42が積層一体化された天板１及び底板２の中央部には、フィルターエレメントＡの内外方向に貫通する貫通孔11、21が貫設され、これら貫通孔11、21間には接続管５がその上下端部を貫通孔11、21の内側開口端面の軟質接着剤層41、42内に没入させた状態に固定することによって配設されている。なお、上記接続管５には内外方向に貫通する貫通孔51が無数に穿設されていると共に、上記天板１及び底板２の貫通孔11、21の外側開口端面には、平面円環状のパッキング材12、22が一体的に設けられている。
【００２２】
そして、上記接続管５の貫通孔51を通じて上記フィルターエレメントＡ内に圧入された汚濁液は、上記フィルター部材３によって濾過された上でフィルターエレメントＡ外に排出されるように構成されている。
【００２３】
続いて、上記フィルターエレメントＡの製造方法について説明する。先ず、一定の上下幅を有する長尺帯状の濾材を２枚用意し、各濾材をプリーツ状に折曲形成した上で平面半円形状に彎曲させ、これら濾材の両端部同士を接合或いは近接させて円筒状フィルター部材３を形成する。
【００２４】
一方、上記円筒状フィルター部材３の平面外形形状に合致した平面円形状を有し且つ保形性を有する一定厚みの不織布からなる天板１及び底板２の一面に固化前の軟質接着剤を全面的に塗布し、天板１及び底板２を構成する不織布の貫通孔を完全に目止めした状態とする。なお、一面に軟質接着剤が塗布された天板１及び底板２の中央部には両面間に亘って貫通する平面円形状の貫通孔11、21が貫設されている。
【００２５】
この時、上記天板１及び底板２は、保形性を有する不織布から構成されていることから、上記天板１及び底板２の一面に軟質接着剤を塗布するに際して天板１及び底板２が変形したりすることはなく、よって、上記天板１及び底板２の一面全面に軟質接着剤を均一に且つ確実に接着剤を塗布することができる。
【００２６】
そして、上記底板２の軟質接着剤が固化しないうちに、上記円筒状フィルター部材３の下端部を全面的に上記底板２の軟質接着剤内に没入させると共に、上記底板２の貫通孔21の開口端面における軟質接着剤内に上記接続管５の下端部を全面的に没入させ、同様に、上記天板１の軟質接着剤が固化しないうちに、上記円筒状フィルター部材３の上端部を全面的に上記天板１の軟質接着剤内に没入させると共に、上記天板１の貫通孔11の開口端面における軟質接着剤内に上記接続管５の上端部を全面的に没入させて、上記フィルター部材３の上下端部に露呈した濾紙紙間の隙間31を上記天板１及び底板２によって全面的に閉止した状態とする。なお、上記天板１及び底板２の外周縁と、上記円筒状フィルター部材３の外周縁とが合致した状態となるように調整している。
【００２７】
しかる後、上記天板１及び底板２の一面に塗布した軟質接着剤を固化させて軟質接着剤層41、42とし、上記フィルター部材３の上下端部とこれに対向する上記天板１及び底板２の内面とを軟質接着剤層41、42を介して全面的に接着一体化させることによってフィルターエレメントＡを製造することができる。なお、上記天板１及び底板２の貫通孔11、21の外側開口端面に平面円環状のパッキング材12、22を任意の手順で固着すればよい。
【００２８】
次に、上記フィルターエレメントＡの使用要領について説明する。先ず、上記フィルターエレメントＡは、通常、このフィルターエレメントＡの製造先から工場等の使用現場まで輸送されるが、この輸送途上に輸送車の揺れ等に起因した衝撃が加わり、この衝撃によって、天板１及び底板２が変形したり、或いは、天板１及び底板２と、フィルター部材３との接続部分における天板１及び底板２とフィルター部材３の相対位置が変化した場合にあっても、上記軟質接着剤層41、42は、上述の変化に円滑に且つ確実に対応して変形し、天板１及び底板２とフィルター部材３とを一体化させた状態を確実に保持、即ち、天板１及び底板２の一面に積層一体化した接着剤層41、42内に没入させたフィルター部材３の上下端部が接着剤層41、42から離脱するのを確実に防止すると共に、上記接着剤層41、42に亀裂が生じるのを確実に防止することができる。
【００２９】
そして、上記フィルターエレメントＡは、図３に示したような外装体６内に収納された上で用いられる。この外装体６は、高さが上記フィルターエレメントＡの高さよりも若干高く且つ内径が上記フィルターエレメントＡの外形に略合致した円筒状の周壁部材61と、この周壁部材61の上下開口部に配設され且つ周壁部材61の内径に合致した直径を有する平面円形状の上下板62、63とからなる。なお、上下板62、63の中央部には、上記フィルターエレメントＡの天板１、２の貫通孔11、21の直径に合致した直径を有する貫通孔62a 、63a が両面間に亘って貫通した状態に貫設されていると共に、上記上板62の上面には一対の把手部62b 、62b が一体的に設けられている。
【００３０】
上記周壁部材61は、一対の平面半円形状の分割体61a 、61a に二等分割され、これら分割体61a 、61a の一端部同士を互いに回動自在に一体化させていると共に、上記分割体61a 、61a の他端部同士は開閉自在に接続一体化できるように構成されている。なお、上記周壁部材61の上下端縁の夫々には内方に向かって一定幅を有する円環状フランジ部61b 、61b が突設されていると共に、上記周壁部材61にはその内外面間に亘って貫通する多数の貫通孔61c 、61c ・・・が穿設されている。
【００３１】
上記のように構成された外装体６の分割体61a 、61a を開放状態とし、この外装体６内に配設した下板63上に上記フィルターエレメントＡを載置すると共に、上記フィルターエレメントＡの上面に上板62を配設した上で上記分割体61a 、61a を閉止し、一対の分割体61a 、61a の他端部同士を連結一体化させる。
【００３２】
一方、清浄液槽Ｂ内には汚濁液供給管B1が垂直に起立した状態に配設されており、この汚濁液供給管B1に上記フィルターエレメントＡの接続管５を天板１及び底板２の貫通孔11、21並びに上記外装体６の上下板62、63の貫通孔62a 、63a を通じて被嵌させ、しかる後、上記汚濁液供給管B1の上端部にボルトＣを螺合させて上記フィルターエレメントＡの接続管５を上記汚濁液供給管B1に被嵌させた状態に固定する。なお、上記汚濁液供給管B1には内外方向に貫通する供給孔B11 が穿設されている。
【００３３】
そして、上記汚濁液供給管B1からその貫通孔51を通じて汚濁液を上記フィルターエレメントＡ内に圧入し、この圧入された汚濁液をフィルター部材３によって濾過し、この濾過された清浄液をフィルターエレメントＡ外に排出する。
【００３４】
この時、上記フィルターエレメントＡの外周面と上記外装体６の内周面との間には若干の隙間が生じていることから、上記フィルターエレメントＡ内に圧入した汚濁液の圧力によってフィルターエレメントＡが外方に向かって僅かに膨張する。
【００３５】
即ち、上記フィルターエレメントＡの天板１及び底板２が外方に向かって膨張変形し、更に、この天板１及び底板２の膨張変形とフィルター部材３に加わる汚濁液の圧力により、天板１及び底板とフィルター部材３との接続部分における天板１及び底板とフィルター部材３の相対位置が変化するが、上記フィルターエレメントＡの軟質接着剤層41、42は、軟質に且つ柔軟に形成されていることから、上記天板１及び底板２の膨張変形や天板１及び底板とフィルター部材３との間の相対位置の変化に対応して円滑に且つ弾性的に変形し、これら変形や相対位置の変化を円滑に吸収する。
【００３６】
よって、上記フィルターエレメントＡの接着剤層41、42に亀裂が発生したり、又は、フィルター部材３の上下端部とこれに対向する天板１及び底板２との間の接着剤層41、42を介した接続部分が破壊されて、天板１及び底板２とフィルター部材３の上下端部とが一部若しくは全体的に分離してしまうといった不測の事態は発生せず、上記フィルターエレメントＡ内に圧入した汚濁液を上記フィルター部材３で確実に濾過した上でフィルターエレメントＡ外に排出することができる。
【００３７】
上記実施例では、フィルターエレメントＡの中央部に上下方向に貫通する接続管５を配設し、この接続管５を汚濁液供給管Ｂに被嵌させる形式のフィルターエレメントＡについて説明したが、この形式に限定されるものではなく、下記のような形式のフィルターエレメントであってもよい。なお、図１に示したフィルター部材と同一構造分については同一符号を付してその説明を省略する
【００３８】
即ち、図４に示したように、底板２に貫通孔を貫設しないと共に接続管５も配設しない一方、上記天板１の貫通孔11にカプラ13を外方に突出した状態に一体的に設け、このカプラ13に汚濁液を供給するための汚濁液供給ホースＣを接続してフィルターエレメントＡ内に汚濁液を圧入する形式のフィルターエレメントＡであってもよい。
【００３９】
なお、図１〜図４に示した実施例では、フィルター部材３として円筒状のものを説明したが、複数枚の濾材をプリーツ状に折曲形成した上で、これら複数枚の濾材を任意に組み合わせて、例えば、四角筒状に形成したフィルター部材であってもよい。
【図面の簡単な説明】
【００４０】
【図１】本発明のフィルターエレメントを示した縦断面図である。
【図２】図１のフィルターエレメントを示した一部切欠斜視図である。
【図３】外装体及び図１のフィルターエレメントを示した斜視図である。
【図４】フィルターエレメントの他の一例を示した縦断面図である。
【符号の説明】
【００４１】
１  天板
11  貫通孔
２  底板
21  貫通孔
３  フィルター部材
31  フィルター部材の上下端面に露呈した濾材間の隙間
41、42  軟質接着剤層
５  接続管
６  外装体
Ａ  フィルターエレメント
【図１】
2006263576.tif 000003
【図２】
2006263576.tif 000004
【図３】
2006263576.tif 000005
【図４】
2006263576.tif 000006